(57)【要約】【課題】  従来では、廃棄物を埋め立てる最終処分場の延命化と、埋め立てた廃棄物からのダイオキシン類並びに重金属類並びにその他有害物質の流出防止処理方法を提供する。【解決手段】  本発明は、最終処分場に埋め立て予定の廃棄物を、おおむね１２００℃以上の温度を保持できる溶融炉によりスラグを生成し、路盤材やセメントの混和材やコンクリートの骨材等に再利用する。【選択図】        図１
2005329382.tif 000002
【特許請求の範囲】
【請求項１】
最終処分場に埋め立て予定又は既に埋め立てた廃棄物を、おおむね１２００℃以上の温度を保持できる溶融炉によりスラグ化する最終処分場に関わる廃棄物処理方法。
【請求項２】
最終処分場に埋め立て予定又は既に埋め立てた廃棄物を、おおむね１２００℃以上の温度でスラグ化することのできる最終処分場に関わる廃棄物処理溶融炉。
【請求項３】
最終処分場に併設して溶融炉を設置する場合の他に、資源廃棄物をリサイクルする施設を併設して、廃棄物の処理の効率化を図る最終処分場に関わる廃棄物処理方法。
【請求項４】
建築廃材や廃木材等を固体燃料に代替して、木炭やコークス等の固体燃料の一部又は全量を燃料として利用する最終処分場に関わる廃棄物処理方法。
【発明の詳細な説明】
【技術分野】
【０００１】  本発明は、最終処分場並びに埋立場の廃棄物を溶融処理して、最終処分場の延命化や新設最終処分場が不要となる処理技術に関する。
【背景技術】
【０００２】  従来、一般廃棄物や産業廃棄物や一般廃棄物を処理する焼却炉又は溶融炉等から排出された焼却灰並びに不燃物並びに飛灰や、もともと焼却処理や溶融処理ができない一般廃棄物や産業廃棄物（特別管理産業廃棄物も含む）等（以下廃棄物という）は、最終処分場と呼ばれる埋め立てが可能な窪地を建設し、そこに埋めていた。【０００３】  その埋め立てをした廃棄物から、ダイオキシン類並びに重金属類並びにその他有害物質の流出が問題となっていた。
また、それら埋め立てした廃棄物を、セメントやコンクリート類で固めて最終処分場に埋め立てたとしても、数年以上経つとセメントやコンクリート類が劣化して、ダイオキシン類並びに重金属類並びにその他有害物質の流出の恐れがあった。さらに、最終処分場の廃棄物を溶融以外で処理しようとしても、有害物質等の除去は困難であった。【０００４】  最終処分場に埋め立てした廃棄物から出る汚水や、雨水が廃棄物に触れて発生した汚水等の処理が必要であった。【０００５】  最終処分場の建設には、多大な費用と広大な敷地が必要であり、財政の圧迫や土地不足、周辺住民の反対等が大きな問題となっていた。また、近々に既存の最終処分場が満杯になるところもあり、新たな最終処分場が必要なところもでてきた。【０００６】
【特許文献１】  特許公開２００２−２１０４４６号公報
【発明の開示】
【発明が解決しようとする課題】
【０００７】  解決しようとする問題点は、従来では、廃棄物を埋め立てる最終処分場がどうしても必要であったこと。また、埋め立てた廃棄物からダイオキシン類並びに重金属類並びにその他有害物質が流出してしまうこと。さらに、最終処分場に必ず廃水処理を設けないといけないこと。が挙げられ、環境問題や土地不足の問題を解決することが課題となる。
【課題を解決するための手段】
【０００８】  本発明は、最終処分場に埋め立て予定の廃棄物を、おおむね１２００℃以上の温度の雰囲気を保持できる溶融炉によりスラグを生成し、路盤材やセメントの混和材やコンクリートの骨材等に再利用する。【０００９】  また、既に埋め立ている最終処分場の廃棄物をおおむね１２００℃以上の温度雰囲気の溶融炉にて処理する。
【発明の効果】
【００１０】    本発明の最終処分場に埋め立てる予定の廃棄物を、溶融炉で処理することによって、最終処分する量を極端に減らすことが可能となり、ほとんど埋め立てが不要となる。【００１１】    埋め立てられた廃棄物を、溶融処理しスラグ化し再資源化することによって、広大な敷地を必要としていた最終処分場や埋立地を建設することが不要となった。そのため、土地の延命化が図れ、周辺住民への環境への悪影響も軽減できる。【００１２】  さらに、廃棄物から流出の恐れのあるダイオキシン類並びに重金属類並びにその他有害物質等を、無害なスラグにして環境問題に大きく寄与できる。
【発明を実施するための最良の形態】
【００１３】  最終処分場へ埋め立てする様々な廃棄物を、おおむね１２００℃以上の高温で溶融する溶融炉を処理する。その溶融炉は、固体燃料が望ましく、均一に炉内の温度を保持させる。そのおおむね１２００℃以上の雰囲気により溶融炉に投入並びに装入した廃棄物は、溶けてスラグ化させ、生成したスラグは、路盤材並びにセメント混和材並びにコンクリート骨材等の土木建築材料に利用する。
【実施例１】
【００１４】  図１のように、最終処分場へ埋め立てる廃棄物を、前処理施設として溶融炉を設置して処理することにより、最終処分場に埋め立てる廃棄物を極端に減らすことができ、いままで広大な敷地を必要としていた最終処分場を１０分の１以下にすることができる。【００１５】  最終処分場へ埋め立てする予定だった廃棄物の減容化ができるため、最終処分場の延命化につながる。【００１６】  廃棄物から流出の恐れのあるダイオキシン類並びに重金属類並びにその他有害物質等を、おおむね１２００℃以上の高温雰囲気で無害なスラグにして、路盤材並びにセメント混和材並びにコンクリート骨材等の土木建築材料に利用する。【００１７】  最終処分場で出る廃水を、本プロセスの溶融炉に廃棄物と一緒に投入並びに装入することができ、最終処分場の廃水処理設備が不要となる。
【実施例２】
【００１８】  図２のように、最終処分場に埋め立てられた廃棄物を掘り起こして、おおむね１２００℃以上の高温雰囲気の溶融炉で処理してスラグ化し、再利用することにより、最終処分場の埋め立てられた廃棄物を減らすことが可能となる。
【実施例３】
【００１９】最終処分場に併設して溶融炉を設置する場合の他に、資源廃棄物をリサイクルする施設を併設して、廃棄物の処理の効率化を図ってもよい。
例えば、カンやビンやペットボトルやプラスチック容器等の資源廃棄物を、リサイクルする施設で再利用させ、再利用できない廃棄物を溶融炉で処理してスラグ化し、スラグは土木建築材料等に再利用する。一方、スラグにならない有機物はガスになり、そのガスや排熱を利用して温水や発電等のエネルギーとして、処理施設や周辺施設の地域に利用する。再利用しきれない廃棄物は最終処分場で処理する。この複合型システムにより処理できない廃棄物は一切無くなる。
【実施例４】
【００２０】  木炭やコークス等の固体燃料を使用した溶融炉の場合、建築廃材や廃木材等に含まれる廃木材を固体燃料に代替して、木炭やコークス等の固体燃料の一部又は全量を燃料として利用する。その場合、燃料で購入する木炭やコークス等の燃料を使用する場合に比べて、建築廃材や廃木材等は、処理料を得ることができるため、処理にかかる維持費用が大幅に削減できる。
下表に単価の比較を示す。
2005329382.tif 000003
【００２１】  重油並びに軽油等の液体燃料やＬＰＧ等の天然ガス等の燃料を使用するおおむね１２００℃以上の高温雰囲気を維持できる溶融炉の燃料の代替に、建築廃材や廃木材等の廃棄物を燃料に代替してもよい。【００２２】  建築廃材や廃木材等の代わりに木質バイオマス等を利用してもよい。
【図面の簡単な説明】
【００２３】
【図１】最終処分場の前処理で溶融炉を設置した概略図である。
【図２】最終処分場の廃棄物を処理する概略図である。
【図３】最終処分場と溶融炉とリサイクル施設を併設した概要図である。
【符号の説明】
【００２４】１  溶融炉又は溶融処理施設
２  最終処分場
３  廃棄物
４  スラグ
５  リサイクル施設
６  リサイクル品
【図１】
2005329382.tif 000004
【図２】
2005329382.tif 000005
【図３】
2005329382.tif 000006